(57)【要約】【課題】複数台が通信によって連携するデバイスのそれぞれが機内モードである場合に、機内モードを解除する際にユーザーに煩雑な操作を必要としないようにする。【解決手段】電波による無線通信を行う第１の通信手段と、電波を使わない無線通信を行う第２の通信手段と、接続相手の機器の情報を記憶する記憶部と、前記第１の通信手段を無効な状態にする機内モードと、前記第１の通信手段を有効な状態にする通常モードとを切り替えるモード選択手段と、装置全体を制御する制御手段とを備え、前記モード選択手段により機内モードから通常モードに変更になる際、前記制御手段は、前記第１の通信手段の通信機能を有効にするとともに、前記記憶部に接続相手の機器に対しての機内モードへの移行要求送信履歴が保持されていれば、前記第１の通信手段による通信再開要求を、前記第２の通信手段を使い、前記記憶部に保持された接続相手の機器に対し送信するよう制御する。【選択図】図４
2017055222.tif 000002
【特許請求の範囲】
【請求項１】
電波による無線通信を行う第１の通信手段と、電波を使わない無線通信を行う第２の通信手段と、接続相手の機器の情報を記憶する記憶部と、前記第１の通信手段を無効な状態にする機内モードと、前記第１の通信手段を有効な状態にする通常モードとを切り替えられるモード選択手段と、装置全体を制御する制御手段とを備えた通信機器であって、
前記モード選択手段により通常モードから機内モードに変更になる際、
前記制御手段は、前記記憶部に保持された接続相手の機器に対し、機内モードへの移行要求を、前記第１の通信手段または、前記第２の通信手段のいずれかの通信手段で送信後、前記記憶部に保持された接続相手の機器に対しての機内モードへの移行要求送信履歴を前記記憶部に保持し、前記第１の通信手段の通信機能を無効にするよう制御し、
前記モード選択手段により機内モードから通常モードに変更になる際、
前記制御手段は、前記第１の通信手段の通信機能を有効にするとともに、
前記記憶部に接続相手の機器に対しての機内モードへの移行要求送信履歴が保持されていれば、前記第１の通信手段による通信再開要求を、前記第２の通信手段を使って、前記記憶部に保持された接続相手の機器に対し送信するよう制御することを特徴とする通信機器。
【請求項２】
前記モード選択手段により機内モードから通常モードに変更になる際、
前記制御手段は、前記第１の通信手段による通信再開要求を、前記第２の通信手段を使って、前記記憶部に保持された接続相手の機器に対し送信し、前記第２の通信手段により、前記第１の通信手段による通信再開要求に対する応答を受信できなかった場合、前記第１の通信手段によって、前記記憶部に保持された接続相手の機器と通信するよう制御することを特徴とする請求項１に記載の通信機器。
【請求項３】
表示手段を更に有し、
前記モード選択手段により通常モードから機内モードに変更になる際、
前記制御手段は、前記記憶部に保持された接続相手の機器に対し、機内モードへの移行要求を、前記第１の通信手段または、前記第２の通信手段のいずれかの通信手段で送信後、接続相手の機器より応答を受信した際、表示部に接続状況を表示するよう前記表示手段を制御することを特徴とする請求項１または２に記載の通信機器。
【請求項４】
前記第１の通信手段は、Bluetooth、Bluetooth LE、WIFIの何れかを用いて通信を実行することを特徴とする請求項１〜３の何れか１項に記載の通信機器。
【請求項５】
電波による無線通信を行う第１の通信工程と、電波を使わない無線通信を行う第２の通信工程と、接続相手の機器の情報を記憶する記憶部と、前記第１の通信工程を無効な状態にする機内モードと、前記第１の通信工程を有効な状態にする通常モードとを切り替えられるモード選択工程と、装置全体を制御する制御工程とを備えた通信機器の制御方法であって、
前記モード選択工程により通常モードから機内モードに変更になる際、
前記制御工程は、前記記憶部に保持された接続相手の機器に対し、機内モードへの移行要求を、前記第１の通信工程または、前記第２の通信工程のいずれかの通信工程で送信後、前記記憶部に保持された接続相手の機器に対しての機内モードへの移行要求送信履歴を前記記憶部に保持し、前記第１の通信工程の通信機能を無効にするよう制御し、
前記モード選択工程により機内モードから通常モードに変更になる際、
前記制御工程は、前記第１の通信工程の通信機能を有効にするとともに、
前記記憶部に接続相手の機器に対しての機内モードへの移行要求送信履歴が保持されていれば、前記第１の通信工程による通信再開要求を、前記第２の通信工程を使って、前記記憶部に保持された接続相手の機器に対し送信するよう制御することを特徴とする通信機器の制御方法。
【請求項６】
コンピュータを、請求項１〜４の何れか１項に記載の通信機器の各手段として機能させるための、コンピュータが読み取り可能なプログラム。
【発明の詳細な説明】
【技術分野】
【０００１】
本発明は外部装置と複数の通信手段により通信可能な通信機器に関する。
【背景技術】
【０００２】
近年、スマートフォンやウエアラブルデバイスが市場に出回ってきている。
これらのデバイスは電波を発するため飛行機に持ち込む際は機内モードと呼ばれるモードにユーザーが設定する必要がある。機内モードは、電波を出すハードウエアを停止するモードである。このモードにおいては、通信を伴うアプリケーションの機能は制限される。
機内モードの設定は、例えば、特許文献１に記載のように、デバイスに設けられている機内モード設定部を操作することにより、機内モードのＯＮ／ＯＦＦの切替えを、ユーザが航空機に乗る機会ごとに行なわれる。
【０００３】
これらのデバイスを複数台所有する場合、それぞれのデバイスについて機内モードを設定する必要がある。つまり、それぞれのデバイスにおいて機内モードへの移行操作をしなければならず操作が煩雑である。
【０００４】
そこで、Apple Inc.が発売しているIPHONE（登録商標）とApple Watch（登録商標）では、デバイス間での連携により、容易に機内モードへの変更を行えるようにしている。具体的には、ユーザーが一方のデバイスに対して機内モードを設定する場合、連携した他方のデバイスに対し通信を使って他方のデバイスを機内モードに設定させ、その後自機も機内モードになり電波を出さないように制御する。これにより、ユーザーは一つのデバイスについて機内モードを設定するだけで、煩雑な操作をすることなく複数のデバイスを機内モードに設定することができる。
【先行技術文献】
【特許文献】
【０００５】
【特許文献１】特開２０１５−８７８１０号公報
【発明の概要】
【発明が解決しようとする課題】
【０００６】
しかしながら、上述の特許文献１は、機内モードを解除する場合についてなんら考慮していない。すなわち、一方のデバイスについて機内モードを解除しても、他方の機内モードを自動的に解除することはできない。なぜなら、通信を行うハードウエアは機内モードであるため通信が不能な状態となっているからである。
【０００７】
そのため、ユーザーはそれぞれのデバイスについて機内モードを解除しなければならず、デバイスの数だけ煩雑な操作が必要であるという問題があった。
本発明は前述の問題点に鑑み、複数台が通信によって連携するデバイスのそれぞれについて、ユーザーが煩雑な操作を必要とすることなく機内モードの解除を実現することを目的とする。
【課題を解決するための手段】
【０００８】
本発明の通信機器は、電波による無線通信を行う第１の通信手段と、電波を使わない無線通信を行う第２の通信手段と、接続相手の機器の情報を記憶する記憶部と、前記第１の通信手段を無効な状態にする機内モードと、前記第１の通信手段を有効な状態にする通常モードとを切り替えられるモード選択手段と、装置全体を制御する制御手段とを備えた通信機器であって、前記モード選択手段により通常モードから機内モードに変更になる際、前記制御手段は、前記記憶部に保持された接続相手の機器に対し、機内モードへの移行要求を、前記第１の通信手段または、前記第２の通信手段のいずれかの通信手段で送信後、前記記憶部に保持された接続相手の機器に対しての機内モードへの移行要求送信履歴を前記記憶部に保持し、前記第１の通信手段の通信機能を無効にするよう制御し、前記モード選択手段により機内モードから通常モードに変更になる際、前記制御手段は、前記第１の通信手段の通信機能を有効にするとともに、前記記憶部に接続相手の機器に対しての機内モードへの移行要求送信履歴が保持されていれば、前記第１の通信手段による通信再開要求を、前記第２の通信手段を使って、前記記憶部に保持された接続相手の機器に対し送信するよう制御することを特徴とする。
【発明の効果】
【０００９】
本発明によれば、複数台が通信によって連携するデバイスのそれぞれについて、ユーザーが煩雑な操作を必要とすることなく機内モードの解除を実現することができる。
【図面の簡単な説明】
【００１０】
【図１】本発明の実施形態に係る通信機器の構成例を示すブロック図である。
【図２】通信機器同士の機内モード設定の動作手順を説明するフローチャートである。
【図３】機内モード設定アプリの画面を示す図である。
【図４】通信機器同士の機内モードから通常モードに移行する際の動作手順を説明するフローチャートである。
【図５】第２の通信部のスピーカー機能によって出力される音声データの一例を示す図である。
【図６】通信機器同士のペアリング時の動作手順を説明するフローチャートである。
【図７】通信機器間で機内モードと通常モードが食い違った場合の動作手順を説明するフローチャートである。
【発明を実施するための形態】
【００１１】
以下、図面を用いて本発明の好ましい実施形態を説明する。
＜第１の実施形態＞
図１に本実施形態の２つの通信機器のブロック図を示す。
図１において、一方の通信機器１００、他方の通信機器１１０は同一構成であり、２つの通信機器間にて通信を行う。
【００１２】
一方の通信機器１００について説明する。制御部１０６は装置全体の制御を行う。記憶部１０１に保持されたアプリケーションを実行することも行う。
記憶部１０１は、一方の通信機器１００で動かすプログラムや連携するデバイス（ここでは他方の通信機器１１０）との連携状況が格納されるメモリである。
タッチパネル１０２は、ユーザーに対する表示を行う表示部であるとともに、ユーザーの指による操作を受け付けるインターフェイスである。
画面合成部１０３は、記憶部１０１に格納されるアプリケーションの実行画面や、画像等のデータを他のインターフェイス部材とともに合成し、タッチパネル１０２に表示できる形にする。
【００１３】
通信部Ａ（第１の通信部１０４）は、電波を用いる無線通信を行うブロックであり、外部装置やサーバー、連携するデバイスと通信するためのインターフェイスである。この通信部Ａ（１０４）は、後述する機内モード中は無効に設定され、電波を発信しない状態になる。通信部Ａ（１０４）は、主にWIFI、Bluetooth（登録商標）、Bluetooth LE等の通信方式で通信を行うことが可能である。
【００１４】
通信部Ｂ（第２の通信部１０５）は、電波を使用しない無線通信を行うブロックであり、外部装置やサーバー、連携するデバイスと通信するためのインターフェイスである。通信部Ａ（１０４）と異なり、超音波を含む音声を用いる通信を行う通信部であり、後述する機内モード中であっても使用可能である。
【００１５】
通常モードと機内モードとを切り替える場合は、モード選択を行うアプリケーションを立ち上げて実施する。モード選択アプリケーションは、記憶部１０１に保持されており、ユーザー操作により制御部１０６が記憶部１０１から読み出し実行する。このとき、実行結果の画面を画面合成部１０３が合成し、タッチパネル１０２に表示する。
他方の通信機器１１０の構成は一方の通信機器１００と同様であるため、説明を割愛する。
なお、後述するフローチャートに示す通信機器１００の各動作は、記憶部１０１に記憶された制御プログラムを制御部１０６が実行することにより実現される。
さらに、後述するフローチャートに示す通信機器１１０の各動作は、記憶部１１１に記憶された制御プログラムを制御部１１６が実行することにより実現される。
【００１６】
一方の通信機器１００と他方の通信機器１１０が連動して動作するまでの説明を、図６のフローチャートを用いて説明する。
一方の通信機器１００を使用するユーザーが他方の通信機器１１０と接続させるためにペアリング操作を行う。ペアリング操作とは、通信機器同士を常時連携させるための初めの操作のことであり、図６のフローチャートによる手順にて、互いの装置に互いを登録しあうための操作である。
【００１７】
図６において、６００は一方の通信機器１００側のフローであり、一方の通信機器１００側から他方の通信機器１１０に対してペアリングを要求する。６１０は、一方の通信機器１００側からのペアリングを要求に応じて行われる他方の通信機器１１０側のフローである。
Ｓ６０１でペアリングを開始する。制御部１０６は、記憶部１０１からペアリング用のアプリケーションを呼び出して処理し、ペアリングの進行状況の画面をタッチパネル１０２に表示する。その後、Ｓ６０２に進む。
【００１８】
Ｓ６０２では、一方の通信機器１００は他の通信機器とペアリングしていない旨の情報が記憶部１０１に保持されているため、制御部１０６は、通信部Ａ（１０４）を用いてペアリング相手を探すブロードキャスト信号を発信する。ブロードキャスト信号は、受信相手を特定しない通信方式である。その後、Ｓ６０３に進む。
【００１９】
Ｓ６０３では、制御部１０６は、相手側の通信機器（ここでは通信機器１１０）から応答があったかどうかを一定時間待ち、応答がなければ処理を終了する。応答があればＳ６０４に進む。
Ｓ６０４では、相手側通信機器１１０から応答があったため、ペアリングのアプリケーションはタッチパネル１０２にパスワードを入力するようユーザーに求める。ここでのパスワードは、相手側通信機器１１０の表示画面に表示された４桁の数字であり、ユーザーが目視で確認した相手側通信機器１１０のパスワードを一方の通信機器１００のタッチパネル１０２を用いて入力する。その後、Ｓ６０５に進む。
【００２０】
Ｓ６０５では、制御部１０６は、パスワードが一致したか否かを確認し、一致しない場合は終了し、一致した場合はＳ６０６に進む。
Ｓ６０６では、ペアリングが成功したため、制御部１０６は、記憶部１０１に相手側の情報を保持する。その後、Ｓ６０７に進む。
Ｓ６０７では、ペアリング相手にペアリングの成功通知を通信部Ａ（１０４）で送信し、処理を終了する。
【００２１】
次に、上記の通信機器１００の動作に対応する、他方の通信機器１１０の動作について述べる。
Ｓ６１１はIdle状態であり、定期的にＳ６１２に進む。
Ｓ６１２では、他方の通信機器１１０側の第１の通信部である通信部Ａ（１１４）がペアリングのためのブロードキャスト信号を受信したかをチェックしており、信号を受信した場合はＳ６１３に進みそうでない場合はＳ６１１に戻る。
【００２２】
Ｓ６１３では、ペアリングのためのブロードキャスト信号を通信部Ａ（１１４）が受信したため、タッチパネル１１２に４ケタのパスワードとなる数字を表示する。その後、Ｓ６１４に進む。
Ｓ６１４では、制御部１０６は、相手側の通信機器（ここでは通信機器１００）からペアリング成功の通知を通信部Ａ（１１４）が受けたか否かを判断している。ペアリング成功通知が相手側通信機器１００から受信できればＳ６１５に進み、そうでなければ終了する。
【００２３】
Ｓ６１５では、ペアリング成功したため、制御部１１６は、相手側の一方の通信機器１００の情報を他方の通信機器１１０の記憶部１１１に保持する。また、タッチパネル１１２にペアリングが成功したことを表示してユーザーに通知する。
【００２４】
以後、二つの通信機器はお互いにペアリングされたことを双方の記憶部１０１、１１１に保持しているため、通信可能な距離に近づくだけで自動的に接続を確立することができる。また、接続が確立された状態では、相互連携が可能となる。相互連携の１つの例としては、一方の通信機器１００側でカウントダウンタイマーアプリが動作している状況でカウントダウンが終了しアラートを発生させる場合がある。このとき、記憶部１０１にあるペアリング相手となる他方の通信機器１１０にも通信部Ａ（１０４）を使ってカウントダウンが終了した信号を送信することで他方の通信機器１１０側でもカウントダウンタイマーアプリが終了したことを認識できる。
【００２５】
以下に、双方のデバイスが通常モードから機内モードへ設定を変更する場合の実施形態と、逆の操作である機内モードから通常モードへ変更する実施形態を述べる。
通常モードとは、通信機器が電波を発信し、外部と電波による通信を行うことが可能なモードである。
一方、機内モードは、通信機器が電波を発信しないモードである。電波を発信しないため、ユーザーは外部のサーバー等と電波を使った通信ができず、インターネットの使用や音楽のダウンロードなどの操作はできない。
【００２６】
まず、双方のデバイスが通常モードから機内モードへ移行する場合について、図２のフローチャートを用いて説明する。
２００は、図１の一方の通信機器１００側のシーケンスを示し、２１０は、図１の他方の通信機器１１０側のシーケンスを示す。ここでは、ユーザーが一方の通信機器１００のみを操作して双方のデバイスを機内モードに設定するまでの流れを説明する。
【００２７】
初めに一方の通信機器１００を使用中のユーザーがタッチパネル１０２に表示される画面を操作して機内モード設定を行うアプリケーションを起動する。
記憶部１０１に保持された機内モードを設定するアプリケーションを制御部１０６が読み出し、実行し、その結果の画面を画面合成部１０３で合成後タッチパネル１０２に表示する。
【００２８】
図３に機内モード設定アプリの画面を示す。
図３の３００は通信機器の筺体、３０１はタッチパネル１０２、３０２は機内モード設定アプリの画面であり、３０３は機内モードを有効にするためのボタン部材である。３０４はユーザーの指を示している。ユーザーが機内モードを有効にするボタン部材３０３を押すと、機内モードへの移行処理を開始する。
【００２９】
Ｓ２０１で機内モードへの移行処理を開始する。
Ｓ２０２では、制御部１０６は、ペアリング済みのデバイスがあるかどうかを確認する。先に述べたように、一方の通信機器１００と他方の通信機器１１０とがペアリング済みである場合は各々の記憶部１０１、１１１にはお互いの情報を保持してある。すなわち、制御部１０６は、ペアリング済みのデバイスの情報を保持しているか否かを判断することで、ペアリング済みのデバイスがあるかどうかを確認する。Ｓ２０２でペアリング済みのデバイスがない場合はＳ２０６に進む。ペアリング済みのデバイスがあればＳ２０３に進む。
【００３０】
Ｓ２０３では、制御部１０６は、ペアリング済みの相手側デバイスが応答を返せる状況か否かを確認する通信を行う。通信部Ａ（１０４）を使って接続相手（他方の通信機器１１０）に応答を返せる状況か否かを確認する。相手からの応答があればＳ２０４に進み、そうでなければＳ２０６に進む。
Ｓ２０４では、相手側通信機器に対して、機内モードを設定させるために、機内モードへの移行要求を通信部Ａ（１０４）から送信する。更に、機内モードへの移行要求を送信したことを示す移行要求送信履歴情報を記憶部１０１に保持し、その後Ｓ２０５へ進む。
【００３１】
Ｓ２０５では、他方の通信機器１１０から一定時間応答があるまで待ち、応答が来ればＳ２０６に進む。応答がなければ処理を終了する。
Ｓ２０６では、一方の通信機器１００の電波を使う通信部Ａ（１０４）の通信機能を使用不可にして機内モードに設定する。
【００３２】
次に、他方の通信機器１１０の動作を２１０のフローで説明する。
Ｓ２１１は、他方の通信機器１１０のIdle状態であり、定期的にＳ２１２へ進む。制御部１１６がタッチパネル１１２を触られたりするか、または通信部Ａ（１１４）、通信部Ｂ（１１５）のコマンド受信などのイベントを待っている状態である。
【００３３】
Ｓ２１２では、制御部１１６は、イベントがあったか否かを確認する。他方の通信機器１１０を機内モードに設定せよというコマンドを通信部Ａ（１１４）が受信した場合はＳ２１３に進みそうでなければＳ２１１に戻る。
Ｓ２１３では、コマンドを受け取ったことを通信部Ａ（１１４）から送信して一方の通信機器１００に応答を返す。送信後、Ｓ２１４に進む。
【００３４】
Ｓ２１４では、制御部１１６は、他方の通信機器１１０の電波を使う通信部Ａ（１１４）の通信機能を使用不可にして機内モードに設定し、機内モードに設定した旨を記憶部１１１に保持する。その時、タッチパネル１１２にペアリング状態（ペアリング解除）を表示し、動作を終了する。
このような流れで、一方の通信機器１００側に対して機内モード要求を行うことで双方の機内モードへの移行が可能である。
【００３５】
前述したように、本実施形態において、一方の通信機器１００側からの操作で機内モードに設定する方法について述べたが、他方の通信機器１１０側から機内モードを設定してもよい。更に、この実施形態では２つのデバイスについて述べたが、連携する（接続された）３台以上の複数のデバイスに対しても同様の動作で機内モードを設定することもできる。
【００３６】
次に、双方のデバイスが機内モードから通常モード（電波を発することができる状態）に移行する際の動作を図４のフローチャートを使って説明する。
図４において、４００は一方の通信機器１００側のシーケンス、４１０は他方の通信機器１１０側のシーケンスである。前提として、前述したように、いずれも機内モードになっており、通信部Ａ（１０４、１１４）は使用不可で電波を出すことができない状態である。
【００３７】
一方の通信機器１００側でユーザーが機内モードを解除する場合、前述したように機内モード設定アプリケーションによって行う。
Ｓ４０１で、ユーザーは機内モードＯＮ／ＯＦＦのボタン部材３０３を押して通常モードへの移行処理を開始する。その後、Ｓ４０２に進む。
【００３８】
Ｓ４０２では、ユーザーの通常モード指示を制御部１０６が受け、まず通信部Ａ（１０４）の通信機能を有効にし、電波での通信ができるようにする。これにより、一方の通信機器１００はサーバーや他のデバイスと無線通信可能となる。その後、Ｓ４０３に進む。
Ｓ４０３では、他方の通信機器１１０に機内モードを要求していたか否かを制御部１０６が記憶部１０１のメモリを確認し、他方の通信機器１１０に要求していた場合はＳ４０４に進み、そうでなければそのまま終了する。
【００３９】
Ｓ４０４では、通信部Ｂ（１０５）を使って相手側に通常モードへの移行要求を実行する。具体的には、通信部Ｂ（１０５）はスピーカーとマイクであり、制御部１０６が通常モードへの移行指示を音のデータとして生成し通信部Ｂ（１０５）のスピーカー機能で送出する。音のデータについては後述する。その後、Ｓ４０５に進む。
【００４０】
Ｓ４０５では、制御部１０６は、他方の通信機器１１０から応答があったかどうかを確認し、応答がなければ一定時間応答を待つ。応答が一定時間以上なければ終了する。
応答があれば、Ｓ４０６で、タッチパネル１０２に接続状態を表示して処理を終了する。
【００４１】
次に、４１０に示す他方の通信機器１１０の動作フローについて説明する。
Ｓ４１１は、他方の通信機器１１０のIdle状態であり、定期的にＳ４１２へ進む。制御部１１６がタッチパネル１１２を触られる、または、通信部Ｂ（１１５）のコマンドを受信するなどのイベントを待っている状態である。
【００４２】
Ｓ４１２では、制御部１１６は、他方の通信機器１１０の通信部Ｂ（１１５）が一方の通信機器１００の通信部Ｂ（１０５）から通常モードへ移行せよというコマンドを受けたか否かを判断し、受けていなければＳ４１１に戻り、受けていればＳ４１３に進む。通信部Ｂ（１１５）は先に述べた一方の通信機器１００の通信部Ｂ（１０５）と同じ構造でありスピーカーとマイクからなる。この他方の通信機器１１０の場合は、マイクの機能で相手側から送出された音声コマンドを受け取る。
【００４３】
Ｓ４１３では、制御部１１６は、他方の通信機器１１０を通常モードへ移行させるために、まずは通信部Ａ（１１４）を有効にする。これにより、以後は通信部Ａ（１１４）を用いて他のデバイスと通信が可能となる。その後、Ｓ４１４に進む。
Ｓ４１４では、他方の通信機器１１０の動作モードを通常モードに設定する。具体的には、電波通信ができないためにオフにしていた機能制限などを解除する。その時、タッチパネル１１２に接続状態（接続完了）を表示し、その後Ｓ４１５に進む。
【００４４】
Ｓ４１５では、相手側（一方の通信機器１００）に応答を返して処理を終了する。応答は、通信部Ａ（１１４）を使った応答でもよいし、通信部Ｂ（１１５）を使った応答でもよい。
【００４５】
前述したように、本実施形態では、一方の通信機器１００側からの操作で機内モードを解除する方法について述べたが、他方の通信機器１１０側から機内モードを解除してもよい。
更に、この実施形態では２つのデバイスについて述べたが、連携する（接続された）３台以上の複数のデバイスに対しても同様の動作で機内モードを解除することもできる。
【００４６】
次に、音声を使ったコマンドについて、図５を用いて説明する。
５００は電波を使わない通信部Ｂ（１０５、１１５）のスピーカー機能によって出力される音声データを表している。
５００の波形は、音の鳴るタイミングと鳴らないタイミングを作り、その組み合わせで通信のコマンドが形成されていることを示す。
【００４７】
音声コマンドは、開始同期信号５０１、送信者ＩＤ５０２、受信者ＩＤ５０３、コマンド５０４、終了同期信号５０５から成る。
開始同期信号５０１は、他方の通信機器１１０が通信部Ｂ（１１５）のマイク機能で周囲の音声を収集している際に、音声コマンドの開始を知るためのものである。ここでは、音の有無を１と０であらわすとして１０１０１を受け取ると、他方の通信機器１１０の制御部１１６は、音声コマンドであることを認識できる。
【００４８】
同様に、送信者ＩＤ５０２や受信者ＩＤ５０３によって他方の通信機器１１０が受け取ってよい音声コマンドか否かを判断できる。自分（他方の通信機器１１０）宛でないコマンドを解釈することを防ぐためのものである。
５０４はコマンドであり、本実施形態でいうところの通常モードに移行せよという命令にあたる。
終了同期信号５０５は、音声コマンドが終了することを意味するデータである。このような音声データを利用することで、あらかじめ連携（接続）した機器同士のみで機内モードの解除ができる。
【００４９】
＜第２の実施形態＞
本実施形態では、前述の第１の実施形態で説明した通信機器の双方が機内モードの状態であって、その後、双方の通信機器が通信部Ｂを用いた通信圏外となり、片方の通信機器だけが通常モードに戻った場合のその後の動作について、図７を用いて述べる。相手側の通信機器がすでに通常モードに戻っているという状況は一方の通信機器１００、他方の通信機器１１０のどちらにおいても発生することであり、本実施形態では一方の通信機器１００について説明を行う。
【００５０】
７１０は一方の通信機器１００のフローである。相手側がすでに通常モードに遷移し、その後機内モードから通常モードへ遷移する通信機器の動作フローについて説明する。
Ｓ７１１は、機内モードの状態でユーザーからの通常モードへの指示を待つ。その後、Ｓ７１２に進む。
【００５１】
Ｓ７１２では、制御部１０６が、ユーザーからの機内モードから通常モードへの移行指示がタッチパネル１０２によって認識できたか否かを判断する。認識できた場合はＳ７１３に進み、そうでない場合は一定時間後に繰り返す。
Ｓ７１３では、一方の通信機器１００は、通信部Ｂ（１０５）を使って相手側通信機器の通信部Ｂ（１１５）と通信を行うよう指示する通信を行い、通信部Ａによる通信再開要求を送信する。その後、Ｓ７１４に進む。
【００５２】
Ｓ７１４では、制御部１０６は、相手側からの応答の有無を認識する。応答があればＳ７１５に進み、なければＳ７１６に進む。この状態で相手側の通信機器は通常モードとなっており、相手側の通信機器は通信部Ｂの機能を無効にしている。よって、一方の通信機器１００の制御部１０６は通信部Ｂ同士を使用しての通信ができないことを相手側からの応答がないことで認識する。
【００５３】
Ｓ７１５では、制御部１０６は相手側がすでに通信部Ａでの通信を許可していると判断し、相手側との通信で通信部Ｂ（１０５）を使わず通信部Ａ（１０４）に切り替える。その後、一方の通信機器１００の制御部１０６は通信部Ａ（１０４）を用いて相手側通信機器と再度接続することを要求し、Ｓ７１７に進む。
Ｓ７１６では、制御部１０６は、自分のみを通常モードに移行し処理を終了する。
【００５４】
Ｓ７１７では、制御部１０６は、相手側からの応答の有無を認識する。相手側からの応答があればＳ７１８に進み、なければＳ７１６に進む。
Ｓ７１８では、すでに相手側通信機器は通常モードであるから、通信部Ａ（１０４、１１４）同士を用いての通信が確立する。その後、Ｓ７１６に進む。
このように、相手機器と通常モード、機内モードの食い違いが発生したとしても、通信部Ａ、通信部Ｂを切り換えて通信を試みることで通信機器同士の通信を再開する。
【００５５】
（その他の実施形態）
上述の実施形態において、通信機器の動作は制御部によるアプリケーションの実行によって実現されると述べたが、同様の機能をオペレーションシステムに実装してもよい。この場合、アプリケーションをインストールする必要がないので、ユーザはソフトウェアの存在を意識することなく、上記実施形態の機能を実現させることができる。
また、上述の実施形態において、通信部Ｂ（１０５、１１５）の通信方式として音を利用する場合について説明したが、音以外のものであってもよい。例えば、ほかの機器への影響がないと判断された波長や強度の可視光や赤外光を用いた光通信などを採用することができる。
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５６】
１００  一方の通信機器
１１０  他方の通信機器
１０１、１１１  記憶部
１０２、１１２  タッチパネル
１０３、１１３  画面合成部
１０４、１１４  通信部Ａ
１０５、１１５  通信部Ｂ
１０６、１１６  制御部
【図１】
2017055222.tif 000003
【図２】
2017055222.tif 000004
【図４】
2017055222.tif 000005
【図５】
2017055222.tif 000006
【図６】
2017055222.tif 000007
【図７】
2017055222.tif 000008
【図３】
2017055222.tif 000009